(57)【要約】本発明は箸の上端部を互いに結合し、側面には把持部４０を突出されるように形成させて、把持部４０の押えによって箸が狭められ、復元力によって復元されるやっとこ型箸に関するものである。本発明の構成は、一対の箸の上端部を互いに連結し、傾斜されて形成された連結支持部２０と、前記連結支持部２０と箸の下端の接触部３０との間に突出されるように形成された把持部４０と、前記把持部と連結支持部２０との間にその厚さを薄く、幅を広くした中途部５０を長く形成させることにより成り、中途部５０によって箸自体に弾性変形力を付与したことを特徴とする。
2004520114.tif 000002
【特許請求の範囲】
【請求項１】
一対の箸の上端部を互いに連結する支持部２０と、この支持部２０と箸の下端の接触部３０との間に位置し、隣接する部分より広い面積を有するように拡張された把持部４０を含む。前記支持部４０と支持部２０との間に位置する中途部５０は、把持部４０と接触部３０との間に位置する部分より幅が広く、厚さが薄いことを特徴とするやっとこ型箸。
【請求項２】
接触部３０はフォーク形状であることを特徴とする請求項１に記載のやっとこ型箸。
【請求項３】
前記やっとこ型箸の側面は線対称であることを特徴とする請求項１に記載のやっとこ型箸。
【請求項４】
前記接触部３０の内面がエンボッシング処理されたことを特徴とする請求項１または２に記載のやっとこ型箸。
【発明の詳細な説明】
【技術分野】
【０００１】
本発明は、やっとこ型箸に関するものであって、詳しくは、箸の上端部を互いに結合し、側面には把持部を突出されるように形成させ把持部の押えによって箸が狭まられ、復元力によって復元されるやっとこ型箸に関するものである。
【背景技術】
【０００２】
一般的に箸は二つの箸が集まって一セットをなし、使用時、二つの箸をそれぞれ動かして食べ物を掴むようになっている。ところが、二つの箸を上手に動かすには熟練を必要とし、箸の使用が拙い外国人や身が不便な老弱者、または手顫症患者らには箸の使用に困難がある。
【０００３】
また、従来では箸を使用しない場合、箸を食卓の上に載せるようになるので、食卓の表面と接触され汚染可能性があり、美観上や衛生上良くない感じを受けるようになる問題がある。
【０００４】
このような問題を解消するために、一部の食堂では箸を載せることができる箸支え台を備えて、使用しない場合、箸を載せて箸の食べ物と接触される接触部が食卓等と接触されないようにする方法が用いられているが、このような方法は、箸以外に別途の箸支え台を備えて食卓の上に載せなければならないのは勿論、箸を使用した後には箸支え台の上に載せなけばならない厄介な点があった。
【０００５】
前述の問題点を解消するためのものとして、本人の先登録した大韓民国実用新案登録第１４５８４１号が登録されている。実用新案登録第１４５８４１号の要旨は左、右一対の箸の一端部が下向に傾斜されるように形成した円環の支持部１２０で連結され、前記箸の底面には外側面をエンボッシングまたはローレット加工してなる取手部１４０を一体に形成したものである。
【０００６】
しかし、前述の箸は取手部１４０と支持部１２０が食卓に接触支持されるので、接触部１３０を食卓面と接触されないようにする効果はあるが、取手部１４０を押えて食べ物を掴む場合に箸を狭める力が円環の支持部１２０に作用するようになる結果、円環の外側部は引張力を受けるようになり、内側部は収縮力を受けるようになり、使用の際、支持部が弱化されるか破損される問題が発生される。
また、破損を防止するために支持部を補強すると箸が狭められないので食べ物を掴み難い問題が発生する。
【０００７】
勿論、支持部の円環を大きく形成させて問題を解決することができるが、これは箸の均衡が合わないので美観を損なう他の問題があり、箸使用に伴う力を全部支持部で受けるようにする場合には中心点から遠く離れた接触部が行き違い互いに合致され難い問題も発生するようになる。
【発明の開示】
【発明が解決しようとする課題】
【０００８】
故に、本発明が解決しようとする技術的課題は、前述の問題点を解決できるように支持部が破損されず、接触部が互いに行き違いにならないで接触部と食卓面との接触が防止される清潔な箸の形状を提供することにある。
【課題を解決するための手段】
【０００９】
前述の技術的課題は、二つの箸が結合された支持部と手で掴む把持部の間に自体的に弾性変形が可能な形状を提供することにより成し遂げられるが、本発明は一対の箸の上端部を互いに連結する支持部と、前記支持部と箸の下端の接触部の間に位置し、隣接する部分より広い面積を有するように拡張された把持部を含み、
【００１０】
前記把持部と支持部の間に位置する中途部は、把持部と接触部との間に位置する部分より幅が広く、厚さが薄いことを特徴とする。
【発明を実施するための最良の形態】
【００１１】
以下、本発明の一実施例による図面で説明すると次のとおりである。
【実施例】
【００１２】
図２は本発明と関連する箸の斜視図であり、
【００１３】
図３は本発明と関連する箸の平面図である。
【００１４】
前記図面において示されたとおり、本発明のやっとこ型箸は一対の箸の上端部を互いに連結し、下向に傾斜されるように形成され、その下側が食卓に接触されて箸を支持する支持部２０と、
【００１５】
前記支持部２０と箸の下端の接触部３０の間に突出されるように形成され、その下側が食卓に接触され前記支持部２０と共に箸を支持する把持部４０と、
【００１６】
前記把持部４０と支持部２０との間にその厚さが薄い中途部５０を広く、長く形成させて前記箸に弾性変形力を付与するようにするものである。
【００１７】
勿論、前記の支持部２０と把持部４０は必ずしも下側に形成される必要はなく、上側に形成されるか、上、下側すべてに形成されてもよい。また、その側面形状が線対称をなすようにすると、箸の上下を区別する必要がないので一層使用が簡便になるメリットがある。
【００１８】
ただ、支持部２０と把持部４０は食卓に接触され、箸を支持して接触部３０が食卓に接触されるのを防止し、且つ、把持し得る面積を提供すればよいのである。
【００１９】
作用について説明すれば次のとおりである。
【００２０】
本発明が具備された箸を使用して食べ物を掴む場合、把持部４０を掴み、力を加えれば、箸は支持部２０を中心に内側に曲がるようになり、この際、把持部４０と支持部２０との間の中途部５０はその厚さを切削して薄く形成させることにより、小さい力でも容易に弾性変形されるようになり、同時に弾性率も向上され把持部４０で力を減らすと復元され、再び使用することができるようになる。
【００２１】
故に、従来技術がただ支持部の弾性に依存して箸を動かす構成であるのに比べ、本発明は箸のそれ自体に弾性を付与して箸を動かす構成であって、本発明における支持部はただ二つの箸を堅固に連結して食卓に接触され箸を支持する役割と、接触部３０が行き違いにならないようにする役割を担当するようになる。
【００２２】
また、接触部３０は実際に食べ物と接触する部分であって、食べ物と接触力を増大するための目的でフオーク形状であるか平たい板形状であってもよく、また、表面に凹凸部を形成してもよい。
【産業上の利用可能性】
【００２３】
本発明は支持部の破損を防止するのは勿論、小さい力でも箸の接触部が互いに行き違いにならないで合致されるので、容易に食べ物を掴むことができ、また、支持部と把持部とが食卓に接触され箸を支持してやることにより、接触部が食卓面に接触されないので、清潔な状態を維持する効果がある。
【図面の簡単な説明】
【００２４】
【図１】従来のやっとこ型箸を示した斜視図である。
【図２】本発明と関連されたやっとこ型箸の斜視図である。
【図３】本発明と関連されたやっとこ型箸の平面図である。
【図４】本発明と関連されたやっとこ型箸の他の実施例を示した斜視図である。
【図５】本発明と関連されたやっとこ型箸のまた他の実施例を示した斜視図である。
【図６】本発明と関連されたやっとこ型箸のまた他の実施例を示した斜視図である。
【国際公開パンフレット】
2004520114.tif 000003
2004520114.tif 000004
2004520114.tif 000005
2004520114.tif 000006
2004520114.tif 000007
2004520114.tif 000008
2004520114.tif 000009
2004520114.tif 000010
2004520114.tif 000011
2004520114.tif 000012
【手続補正書】
【提出日】平成15年9月4日(2003.9.4)
【手続補正１】
【補正対象書類名】特許請求の範囲
【補正対象項目名】全文
【補正方法】変更
【補正の内容】
【特許請求の範囲】
【請求項１】
一対のやっとこ型箸の上端部を互いに連結し傾斜に形成された連結支持部２０と、前記連結支持部２０と箸の下端の接触部３０との間に位置し、隣接する部分より広い面積を有するように拡張された把持部４０を含み、
前記把持部４０と連結支持部２０との間に位置する中途部５０は、把持部４０と接触部３０との間に位置する部分よりその厚さを薄くし、幅を広くして、弾性を有するように長く形成し、
前記連結支持部２０は中途部５０より幅が広く、厚さが厚いことを特徴に形成されたことを特徴とするやっとこ型箸。
【請求項２】
接触部３０はフォーク形状であることを特徴とする請求項１に記載のやっとこ型箸。
【請求項３】
前記やっとこ型箸の側面は線対称であることを特徴とする請求項１に記載のやっとこ型箸。
【請求項４】
前記接触部３０の内面がエンボッシング処理されたことを特徴とする請求項１または２に記載のやっとこ型箸。
【請求項５】
前記連結支持部２０と把持部４０は、上部及び下部方向に延長形成され隣接部より広い面積を有するように拡張されたことを特徴とする請求項１に記載のやっとこ型箸。
【手続補正２】
【補正対象書類名】明細書
【補正対象項目名】全文
【補正方法】変更
【補正の内容】
【発明の詳細な説明】
【技術分野】
【０００１】
本発明は、やっとこ型箸に関するものであって、詳しくは、箸の上端部を互いに結合し、側面には把持部を突出されるように形成させ把持部の押えによって箸が狭められ、復元力によって復元されるやっとこ型箸に関するものである。
【背景技術】
【０００２】
一般的に従来の箸は、二つのステッキ（Ｓｔｉｃｋ）が一セットをなし、使用時、二つの箸をそれぞれ動かして食べ物を掴むようになっている。ところが、二つの箸を上手に動かすには熟練を必要とし、箸の使用が拙い外国人や身が不便な老弱者、または手顫症患者らには箸の使用に困難がある。
【０００３】
また、従来では箸を使用しない場合、箸を食卓の上に載せるようになるので、食卓の表面と接触され汚染の可能性があり、美観上や衛生上良くない感じを受けるようになる問題がある。
【０００４】
このような問題を解消するために、一部の食堂では箸を載せることができる箸支え台を備えて、使用しない場合、箸を載せて置き、食べ物と接触される箸の接触部が食卓等と接触されないようにする方法が用いられているが、このような方法は、箸以外に別途の箸支え台を備えて食卓の上に載せなければならないのは勿論、箸を使用した後には箸支え台の上に載せて置かなければならない厄介な点があった。
【０００５】
前述の問題点を解消するためのものとして、本人が先登録した大韓民国実用新案登録第１４５８４１号が登録されている。実用新案登録第１４５８４１号の要旨は左、右一対の箸の一端部が下向に傾斜されるように形成した円環の連結支持部１２０で連結され、前記箸の底面には外側面をエンボッシングまたはローレット加工した取手部１４０を一体に形成したものである(図１参照)。
【０００６】
しかし、前述の箸は取手部１４０と連結支持部１２０が食卓に接触支持されるので、接触部１３０を食卓面と接触されないようにする効果はあるが、取手部１４０を押さえて食べ物を掴む場合に箸を狭める力が円環の連結支持部１２０に作用するようになる結果、円環の外側部は引張力を受けるようになり、内側部は収縮力を受けるようになり、使用の際、連結支持部が弱化されるか、破損される問題が発生される。また、破損を防止するために連結支持部を補強して弾性力が過度に大きくなると箸が狭められないので食べ物を掴み難い問題が発生される。
【０００７】
勿論、連結支持部の円環を大きく形成させて問題を解決することができるが、 これは箸の重さ均衡が合わないので使用が不便であり、美観を損なう他の問題があり、箸使用に伴う力を全部連結支持部で受けるようにする場合には中心点から遠く離れた接触部が行き違いになり、互いに合致され難い問題も発生するようになる。
【発明の開示】
【発明が解決しようとする課題】
【０００８】
故に、本発明が解決しようとする技術的課題は、前述の問題点をすべて解決できるように創案されたものであって、連結支持部が破損されず、接触部が互いに行き違いにならないで接触部と食卓面との接触が防止される清潔な箸を提供することにその目的がある。
【課題を解決するための手段】
【０００９】
前述の技術的課題は、二つの箸が結合された連結支持部と手で掴む把持部の間に自体的に弾性変形が可能な形状を提供することにより成し遂げられるが、本発明は一対の箸の上端部を互いに連結する連結支持部と、前記連結支持部と箸の下端の接触部の間に位置し、隣接する部分より広い面積を有するように拡張された把持部を含み、
【００１０】
前記把持部と連結支持部の間に位置する中途部は、把持部と接触部との間に位置する部分より幅が広く、厚さが薄いことを特徴とする。
【発明を実施するための最良の形態】
【実施例】
【００１１】
以下、本発明の一実施例による図面で説明すると次のとおりである。
【００１２】
図２は本発明と関連する箸の斜視図であり、
【００１３】
図３は本発明と関連する箸の平面図である。
【００１４】
前記図面において示されたとおり、本発明のやっとこ型箸は一対の箸の上端部を互いに連結し、下向に傾斜されるように形成され、その下側が食卓に接触されて箸を支持する支持部２０と、
【００１５】
前記連結支持部２０と箸の下端の接触部３０の間に突出されるように形成され、その下側が食卓に接触されて前記連結支持部２０と共に箸を支持する把持部４０と、
【００１６】
前記把持部４０と連結支持部２０との間にその厚さが薄い中途部５０を広く、長く形成させて前記箸に弾性変形力を付与するようにするものである。
【００１７】
勿論、前記の連結支持部２０と把持部４０は必ずしも下側に形成される必要はなく、上側に形成されるか、上、下側すべてに形成されてもよい。また、その側面形状が線対称をなすようにすると、箸の上下を区別する必要がないので一層使用が簡便になるメリットがある。
【００１８】
ただ、連結支持部２０と把持部４０は食卓に接触され、箸を支持して接触部３０が食卓に接触されるのを防止し、且つ、把持し得る面積を提供すればよいのである。
【００１９】
連結支持部２０の内側面は、曲線チャンネル型に形成されてあるので箸の洗浄の際、内側面に食べ物の滓がくっつかないので衛生的である。
【００２０】
連結支持部２０は中途部５０より幅が広く、厚さが厚く形成されているので、箸を底に置くときにも連結支持部２０が先に底に触れるようになっている。このように、連結支持部２０側に重さ中心が来るようにすることにより、接触部３０が自然らしく持ち上げられて底に触れないようになるので、食べ物に因る底の汚染を防止することができるようになる。若し、連結支持部２０側に重さ中心を置か置かないと、接触部３０が持ち上がるようにするために、把持部４０を可能な限り、接触部３０に近い側に形成しなければならないので、外観上見にくいばかりでなく、機能上にも問題がある。特に、図４ないし図６のように接触部３０のサイズが拡大された実施例の場合、可能な限り連結支持部２０側に重さ中心を置かなければ把持部４０の位置を適切に形成させることができない。
【００２１】
作用について説明すれば次のとおりである。
【００２２】
本発明が具備された箸を使用して食べ物を掴む場合、把持部４０を掴み、力を加えれば、箸は連結支持部２０を中心に内側に曲がるようになり、この際、把持部４０と連結支持部２０との間の中途部５０はその厚さを切削して薄く形成させることにより、小さい力でも容易に弾性変形されるようになり、同時に弾性率も向上され把持部４０で力を減らすと復元され、再び使用することができるようになる。
【００２３】
故に、従来技術がただ連結支持部の弾性に依存して箸を動かす構成であるのに比べ、本発明は箸のそれ自体に弾性を付与して箸を動かす構成であって、本発明における連結支持部はただ二つの箸を堅固に連結して食卓に接触され箸を支持する役割と、接触部３０が行き違いにならないようにする役割を担当するようになる。
【００２４】
このように、従来のやっとこ型箸は、最も核心的な弾力性の問題が解決されないため、やっとこ型箸の常用製品化を成し遂げることができなかったが、本発明のやっとこ型箸は弾力性の問題を解決して世界最初にやっとこ型箸の商品化を成し遂げることができた。
【００２５】
また、接触部３０は実際に食べ物と接触する部分であって、食べ物と接触力を増大するための目的でフォーク形状であるか平たい板形状であってもよく、また、表面に凹凸部を形成してもよい。
【産業上の利用可能性】
【００２６】
本発明は連結支持部の破損を防止するのは勿論、小さい力でも箸の接触部が互いに行き違いにならないで合致されるので、容易に食べ物を掴むことができ、また、連結支持部と把持部とが食卓に接触され箸を支持してやることにより、接触部が食卓面に接触されないので、清潔な状態を維持する効果がある。
【図面の簡単な説明】
【００２７】
【図１】従来のやっとこ型箸を示した斜視図である。
【図２】本発明と関連するやっとこ型箸の斜視図である。
【図３】本発明と関連するやっとこ型箸の平面図である。
【図４】本発明と関連するやっとこ型箸の他の実施例を示した斜視図である。
【図５】本発明と関連するやっとこ型箸のまた他の実施例を示した斜視図である。
【図６】本発明と関連するやっとこ型箸のまた他の実施例を示した斜視図である。


【手続補正３】
【補正対象書類名】図面
【補正対象項目名】全図
【補正方法】変更
【補正の内容】
【図１】
2004520114.tif 000013
【図２】
2004520114.tif 000014
【図３】
2004520114.tif 000015
【図４】
2004520114.tif 000016
【図５】
2004520114.tif 000017
【図６】
2004520114.tif 000018
【国際調査報告】
2004520114.tif 000019
2004520114.tif 000020